(57)【要約】      （修正有）【課題】単純な画像パターンであっても設定情報の情報量を確保し、容易に情報設定をすることができるカメラ装置を提供する。【解決手段】設定情報を複数の画像パターンに変換して、所定のシーケンスで複数の画像パターンの各々を時系列に表示し、この表示内容を撮影した画像情報３から設定情報を再生して装置内部の設定を行う。【選択図】図１
2010114584.tif 000002
【特許請求の範囲】
【請求項１】
設定情報を複数の画像パターンに変換する変換部と、前記変換部にて変換された複数の画像パターンを順番に表示するシーケンスを編成する編成部と、前記シーケンスに基づいて前記複数の画像パターンの各々を時系列に表示する表示部とを有する情報表示装置の前記表示部の表示内容を撮影した画像から、前記複数の画像パターンからなる画像情報を検出する検出部と、
前記検出部にて検出された前記画像情報から前記設定情報を再生する再生部と、
前記再生部にて再生された前記設定情報で装置内部の設定を行う設定処理部とを備えたカメラ装置。
【請求項２】
検出部は、情報表示装置の表示部にて時系列に表示された複数の画像パターンからなる画像情報を検出するにあたり、前記情報表示装置の編成部にてシーケンスに付加された特定の画像パターンに基づいて前記設定情報の始めと終わりを特定することを特徴とする請求項１記載のカメラ装置。
【請求項３】
設定情報の設定成否を外部に出力する設定結果出力部を備えたことを特徴とする請求項１又は請求項２記載のカメラ装置。
【請求項４】
情報設定用の動作モードに切り替える動作モード切替部を備え、
検出部は、前記情報設定用の動作モードにある場合にのみ、情報表示装置の表示部の表示内容を撮影した画像から、設定情報が変換された複数の画像パターンからなる画像情報を検出することを特徴とする請求項１から請求項３のうちのいずれか１項記載のカメラ装置。
【発明の詳細な説明】
【技術分野】
【０００１】
この発明は、監視向けのＣＣＴＶ（Closed Circuit TeleVision）システム等のカメラシステムに使用するカメラ装置に係り、特に設定情報を与える操作を簡素化したカメラ装置に関するものである。
【背景技術】
【０００２】
従来では、デジタルカメラの撮影条件や動作状態等の設定作業を簡素化するため、設定情報をバーコードや二次元画像コードに変換して記録した画像情報を用意しておき、この画像情報をデジタルカメラで撮影して解析することにより、当該画像情報に記録された情報をデジタルカメラに設定する技術が開示されている（例えば、特許文献１、２参照）。
【０００３】
また、特許文献３には、上記と同様に設定情報をバーコードに変換して記録した画像情報を付属のカメラで撮影して解析することにより、各種情報の設定を行うカメラ付き携帯電話が記載されている。
【０００４】
なお、画像情報に含むことができる情報量は、画像パターンの複雑さに比例するため、上記画像情報をデジタルカメラで正確に読み取るには、当該画像情報をカメラの撮像部に近付けて接写撮影することにより、画像パターンを大きく撮影する必要がある。
【０００５】
【特許文献１】特開平７−２３２６３号公報
【特許文献２】特開２００５−２８６４３９号公報
【特許文献３】特開２００３−２８９３５０号公報
【発明の開示】
【発明が解決しようとする課題】
【０００６】
しかしながら、従来では、画像パターンを複雑にすることで画像情報に含める情報量を確保していたので、カメラが接写撮影に対応しているか、カメラに対する画像情報の表示位置を適確に調整しなければ、情報量が多い画像情報を正確に読み取ることができないという課題があった。
【０００７】
例えば、監視カメラでは、監視対象の領域を広範囲に撮影することを前提としており、これに応じた焦点距離のレンズが設けられているため、上述の画像情報を接写撮影すると焦点がずれて画像情報の画像パターンを鮮明に撮影できず、設定情報を解析できない場合がある。
【０００８】
また、反対に、画像情報をカメラの撮像部から離し過ぎると、解像度が不足して複雑な画像パターンを読み取ることができなくなる。なお、単純化した画像パターンであれば、接写撮影やカメラとの位置調整を厳密に行わずとも読み取ることはできるが情報量を確保できない。
【０００９】
さらに、監視カメラが、ＩＰネットワーク上の機器へ撮影画像を出力するＩＰカメラである場合、画質やネットワーク等の設定が適切になされていないと、機器で再生した画像の画質が所望のものとならなかったり、画像自体を見ることができない。このため、監視カメラを設置する際、現場環境やシステム仕様等に応じて設定を行ったり、現場環境に応じた設定に変更する必要がある。
【００１０】
上述の作業では、例えばラップトップ型ＰＣをＬＡＮケーブルで監視カメラに接続し、ＰＣ上のＷｅｂブラウザや専用アプリケーションを使って監視カメラの設定を行う。このとき、ラップトップ型ＰＣと監視カメラが属するネットワークドメインが合致していない場合、ラップトップ型ＰＣから監視カメラに設定できない。このため、従来では、設定作業を行う前に、先ず、ラップトップ型ＰＣのネットワークアドレスを監視カメラのネットワークドメインに合わせなければならない。
【００１１】
監視カメラのネットワークドメインが現場要件と合っておらず、ドメインを変更し直す必要がある場合、監視カメラのネットワークドメイン及びアドレスを変更した後、ラップトップ型ＰＣのネットワークアドレスもそのドメインに合わせて再調整してから、監視カメラに接続しなければならない。
【００１２】
また、監視カメラに設定されているネットワークアドレスが不明な場合、ラップトップ型ＰＣを監視カメラと接続できないため、ネットワークアドレスを調べるか、監視カメラを工場出荷時の設定にリセットし直す等の作業が必要である。
【００１３】
このように、ＩＰカメラの設定作業はラップトップ型ＰＣ等の設定用機器が必要である他、カメラと接続するために、上述のような設定以外の作業が発生する等、設置員にとって手間のかかるものである。
【００１４】
この発明は、上記のような課題を解決するためになされたもので、画像パターンを時間的に変化させ、時系列に表示された画像パターン群を画像情報とすることにより、単純な画像パターンであっても設定情報の情報量を確保し、容易に情報設定をすることができるカメラ装置を得ることを目的とする。
【課題を解決するための手段】
【００１５】
この発明に係るカメラ装置は、設定情報を複数の画像パターンに変換する変換部と、前記変換部にて変換された複数の画像パターンを順番に表示するシーケンスを編成する編成部と、前記シーケンスに基づいて前記複数の画像パターンの各々を時系列に表示する表示部とを有する情報表示装置の前記表示部の表示内容を撮影した画像から、前記複数の画像パターンからなる画像情報を検出する検出部と、前記検出部にて検出された前記画像情報から前記設定情報を再生する再生部と、前記再生部にて再生された前記設定情報で装置内部の設定を行う設定処理部とを備えるものである。
【発明の効果】
【００１６】
この発明によれば、設定情報を複数の画像パターンに変換して所定のシーケンスで複数の画像パターンの各々を時系列に表示し、この表示内容を撮影した画像情報から設定情報を再生して装置内部の設定を行うので、複数の画像パターンの各々が複雑なパターンでなくても画像情報に含ませられる設定情報の情報量を確保することができる。これにより、接写撮影に適さない監視カメラにおいても簡単に設定を行えるという効果がある。また、単純な画像パターンであってもよいため、レンズ焦点が多少ずれても画像パターンを認識でき、ある程度の接写撮影にも対応できるという利点がある。
【発明を実施するための最良の形態】
【００１７】
実施の形態１．
図１は、この発明の実施の形態１によるカメラ装置を利用したカメラシステムの概要を示す図であり、この発明を監視カメラシステムに適用した場合を示している。図１において、監視カメラ（カメラ装置）１は、ＬＡＮ（Local Area Network）ケーブル４を介して、不図示のＩＰネットワーク上の機器と通信可能なＩＰ（Internet Protocol）カメラであって、撮影した画像をデジタル圧縮符号化してＩＰネットワーク上の機器へ出力する。このようなＩＰカメラを設置する場合は、画質などの撮影条件やネットワーク通信の動作条件に関する情報をカメラに設定する必要がある。
【００１８】
実施の形態１は、図１に示すように、設定する情報を画像パターン（二次元バーコードなど）に変換した画像情報３を用いて監視カメラ１に当該情報を設定する。ここで、監視カメラ１は、比較的広範囲を撮影することを前提として、接写撮影には適さない焦点距離の長いレンズを用いている。このため、画像情報３を監視カメラ１に近付け過ぎると焦点が合わず、監視カメラ１で複雑な画像パターンを読み取ることができない。
【００１９】
そこで、この実施の形態１では、比較的単純な画像パターンを所定時間毎に変化させ、これら時系列に表示された画像パターンからなる画像パターン群を画像情報３とすることにより、１枚１枚が単純な画像パターンであっても画像情報３に含められる情報量を確保しつつ、接写撮影に対応していないカメラであっても煩雑な設定作業を不要としている。
【００２０】
なお、上記単純な画像パターンとは、カメラレンズの焦点が多少ずれても認識できる画像パターン、あるいは接写せずにある程度距離が離れても識別可能な画像パターンを意味する。例えば、ＱＲコード（登録商標；以下、登録商標である旨の記載を省略する）は、一般的に縦横２１×２１セル以上の白黒模様を必要とするが、本発明では、これを縦横８×８セルや縦横４×４セルに単純化したものを利用する。
【００２１】
携帯電話（情報表示装置）２には、文字入力した設定情報を上記時系列に表示させる各画像パターンに変換し、ユーザの操作によって上記各画像パターンを所定時間毎に表示画面上に表示させる機能を実現するためのソフトウェアが搭載される。このソフトウェアのプログラムを携帯電話２のＣＰＵが実行することにより、上述の機能が実現される。
【００２２】
携帯電話２を用いて監視カメラ１に情報設定を行う場合、先ず、監視カメラ１で表示画面を撮影可能な位置に携帯電話２を配置する。この状態で、携帯電話２が、ユーザ操作に従って上記ソフトウェアを実行することにより、上記表示画面上に時系列に表示される画像パターンからなる画像パターン群を画像情報３として監視カメラ１に撮影させる。
【００２３】
１秒あたり３０コマの画像を撮影できるカメラであれば、コマ毎に画像パターンが変化したとすると、１秒間に３０枚の画像パターンからなる画像情報３を読み取ることができる。ここで、各画像パターンが縦横４×４＝１６セルの画像であれば、１セルが１ビットの情報を表すと仮定した場合、１枚の画像パターンに１６ビット＝２バイトの情報を含めることが可能であり、１秒間あたり最大６０バイトのデータを画像情報３とすることができる。
【００２４】
図２は、実施の形態１によるカメラ装置の構成を示すブロック図であり、図１中の監視カメラの構成を示している。図２において、監視カメラ１は、レンズ５、ＣＣＤ部６、アナログ信号処理部７、Ａ／Ｄ変換部８、画像情報検出部（検出部）９、符号化部１０、画像出力部１１、画像情報復号部（再生部）１２、制御部１３、設定テーブル書込み部（設定処理部）１４及び内部設定テーブル１５を備える。レンズ５は、監視カメラ１の撮像部に設けられ、撮影対象からの入力光を集光する。ＣＣＤ部６は、レンズ５で集光された入力光を画像信号に変換する。
【００２５】
アナログ信号処理部７は、ＣＣＤ部６から出力された画像信号をアナログ画像信号に変換する。Ａ／Ｄ変換部８は、アナログ信号処理部７から出力されたアナログ画像信号をデジタル画像信号に変換する。画像情報検出部９は、Ａ／Ｄ変換部８で変換されたデジタル画像信号の中からバーコード等の画像パターンからなる画像情報３の有無を検出する構成要素であり、画像情報３を検出すると画像情報復号部１２を制御して復号させる。
【００２６】
符号化部１０は、画像情報検出部９を介して入力したデジタル画像信号を符号化する。画像出力部１１は、符号化部１０で符号化された画像情報を監視カメラ１の外部に出力する。例えば、ＬＡＮケーブル４を通してＩＰネットワーク上の機器へ符号化した画像情報を出力する。画像情報復号部１２は、画像情報検出部９からの制御信号ａに従って、画像情報検出部９で検出された画像情報３の画像パターンをデジタル画像信号から切り出して数値情報又は文字情報を復号する。
【００２７】
制御部１３は、画像情報復号部１２で復号された数値情報又は文字情報が監視カメラ１の設定情報を特定するとともに、特定した設定情報について設定テーブル書込み部１４に内部設定テーブル１５を更新するよう指示する。設定テーブル書込み部１４は、制御部１３からの指示に従い、制御部１３で特定した設定情報の内容で内部設定テーブル１５を更新する。内部設定テーブル１５は、監視カメラ１の動作等を規定する各種の設定情報が登録されたテーブルデータである。
【００２８】
図３は、実施の形態１による情報表示装置の構成を示すブロック図であり、図１中の携帯電話２に構築した画像情報の表示処理を行う構成を示している。図３において、設定情報受付部１６は、監視カメラ１に設定すべき情報の入力を受け付ける構成要素であり、携帯電話２の表示画面を介して設定情報の入力させるＧＵＩ（Graphical User Interface）を提供する。設定情報変換部（変換部）１７は、設定情報受付部１６で取得された設定情報を、変換テーブルを用いて画像パターンに変換する。
【００２９】
画像情報編成部（編成部）１８は、設定情報変換部１７で生成された複数枚の画像パターンを画像シーケンスとしてまとめるとともに、この画像シーケンスの前に開始用画像シーケンスや終了用画像シーケンスを付与して画像情報３を生成する。表示部１９は、ディスプレイ２０における表示処理を行う構成要素であり、画像情報編成部１８から取得した画像シーケンスに従ってディスプレイ２０の表示画面上に画像を表示させる。ディスプレイ２０は、携帯電話２の表示装置である。
【００３０】
なお、設定情報受付部１６、設定情報変換部１７、画像情報編成部１８及び表示部１９は、本発明の趣旨に従う設定情報処理用プログラムを携帯電話２に搭載されたマイクロコンピュータのＣＰＵに読み込ませて実行させることにより、当該マイクロコンピュータ上でソフトウェアとハードウェアとが協働した具体的な手段として実現することができる。
【００３１】
次に動作について説明する。
（１）設定情報を含む画像情報の生成及び表示処理
図４は、図３中の携帯端末による設定情報を含む画像情報の生成及び表示処理を説明するための図であり、図３及び図４を用いて画像情報の生成と表示処理の詳細を説明する。先ず、携帯電話２の設定情報受付部１６が、表示画面上に監視カメラ１に設定すべき情報を入力するための入力画面２１を表示し、ユーザによる設定情報の入力を受け付ける。
【００３２】
図４の例は、ネットワーク通信の条件を設定する画面を示しており、ユーザが、携帯電話２のキーボタン等の入力装置を用いて画面２１中の黒塗り三角記号を押下することによって各種設定値を選択入力できる。入力された設定情報は、携帯電話２の不図示のメモリに格納される。設定情報受付部１６は、入力画面２１中の表示開始ボタン２１ａが押下されるのを待ち、ユーザによる設定情報の入力が完了し、表示開始ボタン２１ａが押下されると入力画面２１の表示を終了させる。
【００３３】
続いて、設定情報変換部１７が、上記メモリから設定情報を読み込み、変換テーブルを用いて当該設定情報を画像化する。設定情報を画像に変換する手法としては、設定情報の文字列を１文字毎に分割し、各文字のＡＳＣＩＩコードをそのまま画像として順番に表現していく。
【００３４】
例えば、図４中に示す画面パターン２２は、縦横４×３の１２個の白黒のブロックを並べた画像パターンであるが、各ブロックを白又は黒の１ビットの情報とみなして、ＡＳＣＩＩコードを画像化する。ＡＳＣＩＩコードは８ビットなので、図４の場合、携帯電話２の表示画面上に表示した１枚の画像パターン２２は１２ブロックある。
【００３５】
従って、画像パターン２２の１枚あたりの画像情報３は、１２（ブロック）÷８（ブロック／文字）＝１．５（文字）を表現することになる。つまり、図４に示すように、携帯電話２の表示画面上に時系列に２枚の画像パターン２２を表示した場合、３文字、時系列に１００枚の画像パターン２２を表示した場合は１５０文字を表現することができる。このように、設定情報変換部１７は、読み込んだ設定情報を複数枚の画像パターン２２へ順次変換する。
【００３６】
次に、画像情報編成部１８が、設定情報変換部１７で生成された複数枚の画像パターン２２を画像シーケンスとしてまとめるとともに、その画像シーケンスの前に、開始用画像シーケンスや終了用画像シーケンスを付与して画像情報３を構築する。表示部１９は、画像情報編成部１８から入力した画像シーケンスに従って、画像情報３をディスプレイ２０の表示画面上に表示する。
【００３７】
開始用画像シーケンスは、画像情報３の表示開始を監視カメラ１側に通知する同期信号となる。最も簡素な開始用画像シーケンスとしては、白いブロック群のみからなる白の単一色の画像と黒いブロック群のみからなる黒の単一色の画像とを、ある点滅パターンで表示する。また、終了用画像シーケンスは、画像情報３の表示終了を監視カメラ１側に通知する同期信号である。
【００３８】
このように、単純なアルゴリズムで設定可能な開始用画像シーケンス及び終了用画像シーケンスを用いることにより、当該画像情報編成部１８を構成するプログラムモジュールを簡易構成でき、携帯電話２への実装が簡単になる。また、監視カメラ１側で設定情報の画像サイズを予め知ることができるというメリットもある。
【００３９】
なお、上記説明ではＡＳＣＩＩコードを用いた単純な変換手法を示したが、実際には、誤り耐性や画面の向きを検出するための向き情報等を付与したり、複雑な変換テーブルを使用して変換したりする場合もある。
【００４０】
（２）画像情報を用いた情報設定
図２及び後述する図５を用いて画像情報を用いた監視カメラ１に対する情報設定の詳細を説明する。先ず、ユーザは、携帯電話２をその表示画面が監視カメラ１の撮像部に向くように配置して、監視カメラ１による撮影を開始させるとともに、図４中に示した表示開始ボタン２１ａを押下する。監視カメラ１は、携帯電話２の表示画面上に表示される内容を撮影し、当該撮影対象からの入力光がレンズ５により集光される。
【００４１】
続いて、ＣＣＤ部６が、レンズ５で集光された入力光を画像信号に変換する。アナログ信号処理部７が、ＣＣＤ部６から出力された画像信号をアナログ画像信号に変換する。Ａ／Ｄ変換部８では、アナログ信号処理部７から出力されたアナログ画像信号をデジタル画像信号に変換する。
【００４２】
画像情報検出部９は、Ａ／Ｄ変換部８で変換されたデジタル画像信号の中から上述した画像パターン２２からなる画像情報３の有無を検出する。ここで、画像情報検出部９は、Ａ／Ｄ変換部８から入力したデジタル画像信号の画像に画像情報３が含まれているか否かをフレーム毎に確認する。
【００４３】
具体的には、先ず、同期信号となる開始用画像シーケンスが、画像フレーム内に含まれているか否かを調査する。調査手法としては、画像内のエッジを検出して画像を領域分割する。このとき、画像情報検出部９が、ある大きさ以上の領域について連続する数フレームを観察し、開始用画像シーケンスとなる特定の点滅信号が存在しているか否かを調査する。
【００４４】
開始用画像シーケンスを検出すると、画像情報検出部９が、この領域に画像情報３が存在すると判断する。以降のフレームでは、この領域及びその近辺領域において設定情報を含む画像情報３が存在するが、画像情報検出部９は継続してエッジ検出を行い、この領域のトラッキングを行う。画像情報検出部９は、このようにトラッキングすることで画像情報３を含む領域の検出を継続する。
【００４５】
図５は、画像情報の表示例を示す図であり、縦横４×４セルの互いに異なる画像パターン２２−１〜２２−４が時刻Ｔ１→Ｔ２→Ｔ３→Ｔ４で順番に表示される場合を示している。監視カメラ１が１秒あたり３０コマの画像撮影ができる場合、コマ毎の画像パターンが変化したとすると、１秒間に３０枚の画像パターンを読み取ることができる。図５に示す例では、縦横４×４＝１６セルなので、仮に１セルが１ビットの情報を表すとすると、１枚の画像パターン毎に１６ビット＝２バイトの情報を含むため、１秒間あたり最大６０バイトのデータを設定情報として画像情報３に含めることができる。
【００４６】
また、画像情報検出部９は、Ａ／Ｄ変換部８で変換されたデジタル画像信号の中から画像情報３を含む領域を検出する度に、その領域を含む制御信号ａを画像情報復号部１２へ出力する。画像情報復号部１２では、画像情報検出部９からの制御信号ａに従って、画像情報検出部９で特定された上記領域に含まれる画像情報３を数値情報又は文字列情報に復号する。また、画像情報検出部９は、終了用画像シーケンスを検出すると、上記トラッキングを終了する。
【００４７】
制御部１３は、画像情報復号部１２から復号された数値情報又は文字情報を読み取り、これらの情報を統合して監視カメラ１のどの設定情報であるかを特定する。どの設定情報であるかを特定すると、制御部１３は、特定した設定情報で内部設定テーブル１５を更新するよう、設定テーブル書込み部１４に指示を出す。
【００４８】
設定テーブル書込み部１４は、制御部１３からの指示に従い、制御部１３で特定された設定情報の内容で内部設定テーブル１５を更新する。これにより、監視カメラ１では、動作するにあたり内部設定テーブル１５の登録内容を適宜読み出して、内部設定テーブル１５に登録された各種の設定情報に従った動作を行う。
【００４９】
以上のように、この実施の形態１によれば、設定情報を複数の画像パターン２２に変換して所定のシーケンスで複数の画像パターン２２の各々を時系列に表示し、この表示内容を撮影した画像情報３から設定情報を再生して装置内部の設定を行うので、複数の画像パターン２２の各々が複雑なパターンでなくても画像情報３に含ませられる設定情報の情報量を確保することができる。これにより、接写撮影に適さない監視カメラ１においても、簡単に設定を行える。また、単純な画像パターンであってもよいため、レンズ焦点が多少ずれても画像パターンを認識でき、ある程度の接写撮影にも対応できる。
【００５０】
また、この実施の形態１によれば、画像情報検出部９が、携帯電話２の表示部１９にて時系列に表示された複数の画像パターンからなる画像情報３を検出するにあたり、画像情報編成部１８にてシーケンスに付加された特定の画像パターンに基づいて設定情報の始めと終わりを特定する。このようにすることで、設定情報を変換した画像パターンのシーケンスを簡易にすることが可能であり、かつ監視カメラ１側で設定情報の画像サイズを予め知ることができる。
【００５１】
上記実施の形態１では、監視カメラ１が図１に示すようなＩＰカメラである場合であっても、ラップトップ型ＰＣ等の設定用機器が不要であり、画像情報３を表示する携帯電話２があれば、監視カメラ１への情報設定を容易に行うことができる。また、ＬＡＮケーブルを介してラップトップ型ＰＣを監視カメラ１に接続して設定を行う場合であっても、ラップトップ型ＰＣに合致したネットワークドメインを、携帯電話２を用いて監視カメラ１に設定しておけば、ラップトップ型ＰＣへのネットワークドメインの設定が不要になる。これにより、従来と比較しても設置業者への負担が軽減されるという効果が得られる。
【００５２】
なお、上記実施の形態１では、特定の画像パターンを設定開始や設定終了を示す同期信号として用いる場合を示したが、画像パターンの一部のセルを画像情報３の誤り訂正のために使用してもよい。また、監視カメラ１のシャッタータイミングと画像情報３の更新タイミングとは同期しないので、画像情報３の更新タイミングは、監視カメラ１の最高フレームレートの半分以下にすることも考えられる。これらの理由により、画像情報３に含められる情報量としては、（セル数×カメラのフレームレート）よりも少なくなることが起こりえるが、本発明の本質には影響しない。
【００５３】
また、ＱＲコードのような二次元バーコードは、縦横２１×２１セルというような規格上の最小セル数が決められている場合があるが、本発明は、特定の規格に左右されるものではなく、画像情報３のセルサイズ等については制約を設けるものではない。
【００５４】
さらに、上記実施の形態１では、画像情報３として二次元バーコードを利用する場合を説明したが、画像情報３はバーコードに限定されるものでもなく、様々なフォーマットにより情報化されることはいうまでもない。例えば、上記実施の形態１で示した独自フォーマットによる画像パターンや、その他の二次元バーコードの規格の画像パターンを利用しても構わない。
【００５５】
さらに、上記実施の形態１では、画像情報３を表示する情報表示装置として携帯電話２を示したが、これに限るものではなく、例えばモバイルＰＣ、ＰＤＡ（Personal Digital Assistant）、ラップトップ型ＰＣ、電子ペーパー、プロジェクタなど、画像情報３を表示できるデバイスであればよい。
【００５６】
実施の形態２．
この実施の形態２では、上記実施の形態１で示した監視カメラの構成に加え、情報設定が所望の通りなされたか否かを外部に出力する機能を追加している。
【００５７】
図６は、この発明の実施の形態２によるカメラ装置の構成を示すブロック図である。図６において、実施の形態２による監視カメラ１Ａは、上記実施の形態１で図２を用いて説明した構成に加えて、設定結果を外部に出力する設定結果出力部２３を備える。設定結果出力部２３は、制御部１３から指示された内容の電子メール本文を作成するとともに、ＳＭＴＰ（Simple Mail Transfer Protocol）等のメール送信プロトコルを用いて、予め設定されたＩＰネットワーク上のメールサーバに対して当該電子メールを送信する。これにより、ユーザは、メールソフトウェアを搭載した端末を用いてメールーサーバから転送される電子メールの内容により設定の成否を確認することができる。なお、図６において、図２と同一若しくはこれに相当する構成要素には、同一符号を付して説明を省略する。
【００５８】
次に動作について説明する。
図７は、実施の形態２によるカメラ装置を利用したカメラシステムの概要を示す図であり、図６及び図７を用いて動作の詳細を説明する。
上記実施の形態１と同様に、ユーザが、携帯電話２をその表示画面が監視カメラ１Ａの撮像部に向くように配置する。続いて、携帯電話２のディスプレイに時系列に並べた画像パターンからなる画像情報３を表示させて監視カメラ１Ａによる撮影を開始させる。この後、上記実施の形態１と同様にして、監視カメラ１による情報設定処理が実行される。
【００５９】
ここで、画像情報復号部１２が画像情報３を復号した結果、画像情報３から設定情報を復号できなかった場合や、設定情報を復号できても内部設定テーブル１５に書き込めず、内部設定テーブル１５を更新できなかった場合、制御部１３が、設定結果出力部２３に対して失敗メールを送信するように指示を出す。一方、内部設定テーブル１５の内容更新に成功したときには、設定結果出力部２３に成功メールを出すように指示を出す。
【００６０】
設定結果出力部２３では、制御部１３から指示された内容のメール本文を作成し、ＬＡＮケーブル４ａ及びネットワークを介してメールサーバ２４に上記内容の電子メール２５を送信する。メールサーバ２４は、携帯電話２に上記電子メール２５を転送する。ユーザは、携帯電話２で受信した電子メール２５の内容から情報設定が成功したか否かを確認することができる。
【００６１】
なお、電子メール２５には、情報設定が成功したか否かを示す情報だけでなく、設定した情報内容を含めてもよい。この場合、設定内容は更新されたものの、所望の設定内容になったか否かも確認できる。この他、設定内容を含む電子メール２５の本文から設定の成否を確認するか、あるいは失敗の場合は電子メール２５を作成しないようにすることで、電子メール２５自体が届かないことにより、設定の失敗を確認するようにしてもよい。
【００６２】
以上のように、この実施の形態２によれば、設定情報の設定成否を外部に出力する設定結果出力部２３を備えたので、設定結果を監視カメラ１Ａの外部に出力することにより、設定の成否を外部で知ることができ、設定に失敗した場合であっても成功したと勘違いすることなく、また迅速に再設定手続きに移行することが可能である。
【００６３】
なお、上記実施の形態２では、電子メール２５により設定結果を外部に伝達する場合を説明したが、例えば、監視カメラ１ＡにＷｅｂサーバ機能を備え、監視カメラ１Ａが電子メール２５を携帯電話２に送信するようにしてもよい。
【００６４】
また、監視カメラ１Ａからネットワーク側へ出力する画像に設定情報を重畳して表示することにより、ネットワーク上の機器が、監視カメラ１Ａからの画像を視認することにより、所望の設定情報であるか否かを確認できるようにしても構わない。
【００６５】
さらに、監視カメラ１ＡがＬＥＤのようなディスプレイ部を備える場合であれば、このＬＥＤに設定の成否を色で表示する場合も考えられる。監視カメラ１Ａが外部へ設定の成否を伝えるにあたり、様々な情報出力形態を利用することが可能である。例えば、監視カメラ１に音声出力機能を持たせ、情報設定の成否を音声（例えば、単純なビープ音などの機械音）で通知するようにしてもよい。
【００６６】
実施の形態３．
この実施の形態３では、監視カメラが情報設定用の動作モードを有しており、この情報設定用モードの場合にのみ、設定情報を含む画像パターンの検出処理を行うものである。
【００６７】
図８は、この発明の実施の形態３によるカメラ装置の構成を示すブロック図である。図８において、実施の形態３による監視カメラ１Ｂは、上記実施の形態１で図２を用いて説明した構成に加えて、モード別動作切替部２６を備える。モード別動作切替部２６は、動作モードの切り替えのためのスイッチ情報に基づいて、Ａ／Ｄ変換部８から入力したデジタル画像信号の出力先を、符号化部１０への経路と画像情報検出部９への経路とのいずれかに切り替える。なお、図８において、図２と同一若しくはこれに相当する構成要素には、同一符号を付して説明を省略する。
【００６８】
次に動作について説明する。
図９は、実施の形態３によるカメラ装置を利用したカメラシステムの概要を示す図であり、図８及び図９を用いて動作の詳細を説明する。
上記実施の形態１と同様に、ユーザが、携帯電話２をその表示画面が監視カメラ１Ｂの撮像部に向くように配置する。ここで、監視カメラ１Ｂに設けた外部スイッチ２７を押下することにより、動作モードの切り替えのためのスイッチ情報がモード別動作切替部２６へ出力される。
【００６９】
モード別動作切替部２６では、入力したスイッチ情報が情報設定モードである場合、Ａ／Ｄ変換部８から入力したデジタル画像信号の出力先を画像情報検出部９へ切り替える。一方、入力したスイッチ情報が情報設定モードでない場合、Ａ／Ｄ変換部８から入力したデジタル画像信号の出力先を符号化部１０へ切り替える。
【００７０】
以上のように、この実施の形態３によれば、情報設定用の動作モードに切り替える動作モード別動作切替部２６を備え、画像情報検出部９が、情報設定用の動作モードにある場合にのみ、携帯電話２の表示部の表示内容を撮影した画像から、設定情報が変換された複数の画像パターンからなる画像情報３を検出する。このようにすることにより、情報設定用の動作モード以外で画像情報３の検出や設定に関わる構成要素の起動を停止することができ、監視カメラ１Ｂ内部の処理負荷を下げることができる。
【００７１】
また、上記実施の形態１では、スイッチ情報が外部から入力される旨説明したが、監視カメラ１Ｂにおける動作モードの切り替えは、必ずしも外部スイッチである必要はない。例えば、監視カメラ１Ｂへの電源投入後の所定時間（例えば３分間）は情報設定モードであるようにモード別動作切替部２６を制御する。このようにすれば、外部からのスイッチ情報は必要ない。この発明において重要なのは設定するための動作モードが存在することであり、そのモードの発生の仕方は本質ではない。
【００７２】
なお、上記実施の形態１〜３で示した構成は、適宜組み合わせてもよい。例えば、図２で示す監視カメラの構成に、図６で示した設定結果出力部２３及び図８で示したモード別動作切替部２６をそれぞれ若しくはこれら両方を備えた構成としても構わない。
【図面の簡単な説明】
【００７３】
【図１】この発明の実施の形態１によるカメラ装置を利用したカメラシステムの概要を示す図である。
【図２】実施の形態１によるカメラ装置の構成を示すブロック図である。
【図３】実施の形態１による情報表示装置の構成を示すブロック図である。
【図４】図３中の携帯端末による設定情報を含む画像情報の生成及び表示処理を説明するための図である。
【図５】画像情報の表示例を示す図である。
【図６】この発明の実施の形態２によるカメラ装置の構成を示すブロック図である。
【図７】実施の形態２によるカメラ装置を利用したカメラシステムの概要を示す図である。
【図８】この発明の実施の形態３によるカメラ装置の構成を示すブロック図である。
【図９】実施の形態３によるカメラ装置を利用したカメラシステムの概要を示す図である。
【符号の説明】
【００７４】
１，１Ａ，１Ｂ  監視カメラ（カメラ装置）、２  携帯電話（情報表示装置）、３  画像情報、４，４ａ  ＬＡＮケーブル、５  レンズ、６  ＣＣＤ部、７  アナログ信号処理部、８  Ａ／Ｄ変換部、９  画像情報検出部（検出部）、１０  符号化部、１１  画像出力部、１２  画像情報復号部（再生部）、１３  制御部、１４  設定テーブル書込み部（設定処理部）、１５  内部設定テーブル、１６  設定情報受付部、１７  設定情報変換部（変換部）、１８  画像情報編成部（編成部）、１９  表示部、２０  ディスプレイ、２１  入力画面、２１ａ  表示開始ボタン、２２，２２−１〜２２−４  画像パターン、２３  設定結果出力部、２４  メールサーバ、２５  電子メール、２６  モード別動作切替部（モード切替部）、２７  外部スイッチ。
【図１】
2010114584.tif 000003
【図２】
2010114584.tif 000004
【図３】
2010114584.tif 000005
【図４】
2010114584.tif 000006
【図５】
2010114584.tif 000007
【図６】
2010114584.tif 000008
【図７】
2010114584.tif 000009
【図８】
2010114584.tif 000010
【図９】
2010114584.tif 000011